(57)【要約】【課題】  ユーザが容易にメール作成を行えるようにする。【解決手段】  メール作成処理において、入力された文字の変換候補を一覧で表示するよう指示があると（Ｓ０２ステップのＹ）、Ｓ０３ステップにおいて、今日に対応する絵文字をＲＡＭ１６から読込ディスプレイ６０に一覧で表示する。続いて、絵文字の選択処理を行い（Ｓ０４ステップ）、選択された絵文字を確定する処理を行う（Ｓ０５ステップ）。このように、メール本文を作成する際に作成する日に対応する絵文字を優先的に一覧で表示することが可能である。【選択図】  図５
2010257063.tif 000002
【特許請求の範囲】
【請求項１】
文字の変換候補を一覧で表示する際に、当該一覧表示を行う日に対応する絵文字を優先的に表示することを特徴とする電子機器。
【請求項２】
日付と絵文字を対応付けて格納する格納手段と、入力手段と、当該入力手段で入力された文字と文字の変換候補の一覧を表示する表示手段と、
前記表示手段が、前記入力手段により入力された文字の変換候補の一覧を表示する際に、変換候補に絵文字を含んで表示する場合には、一覧を表示する日に対応する絵文字を前記格納手段から読み出して、前記表示手段に表示するよう制御する制御手段と、を有することを特徴とする電子機器。
【請求項３】
日付と文字及び／又は記号を対応付けて格納する格納手段と、入力手段と、当該入力手段で入力された文字と文字の変換候補の一覧を表示する表示手段と、
前記表示手段が、前記入力手段により入力された文字の変換候補の一覧を表示する際に、一覧を表示する日に対応する文字及び／又は記号を前記格納手段から読み出して、前記表示手段に表示するよう制御する制御手段と、を有することを特徴とする電子機器。
【請求項４】
請求項３に記載の電子機器であり、
前記格納手段から読み出した文字及び／又は記号は、他の変換候補よりも優先的に表示されることを特徴とする電子機器。
【発明の詳細な説明】
【技術分野】
【０００１】
本発明は文字や数字等の情報を入力するための電子機器に関する。
【背景技術】
【０００２】
近年の電子機器、例えば携帯電話装置では、メールの本文を入力する際にひらがなやカタカナ、漢字や数字等の文字を入力可能であるだけでなく、笑った顔や泣いた顔等の絵である、所謂絵文字を入力することもできる。
【０００３】
又、現在市販されている携帯電話装置では、例えば「ありがとう」と入力すると、「ありがとう」を様々な文字に変換した一覧を表示することが可能である。例えば、一覧には、「ありがとう」、「有り難う」、「有難う」、「アリガトウ」、感謝の気持ちを表している絵文字、等が表示される。
【０００４】
更に、このような絵文字に関する技術として、特許文献１には、予め絵文字と文字列を対応付けて登録しておき、メール本文を入力する際に、入力された文字列から対応する絵文字を予測し変換する技術が記載されている。
【先行技術文献】
【特許文献】
【０００５】
【特許文献１】特開２００８−２２５６０２
【発明の概要】
【発明が解決しようとする課題】
【０００６】
しかしながら、メール本文を作成する際に必ずしも入力された文字列の直後に関連する絵文字を入力したいとは限らない。例えば、自分が誕生日の日に恋人等の相手に「今日は何の日か憶えている？（ケーキの絵文字）」を送信したい場合があるが、特許文献１に記載の技術では、「今日は何の日か憶えている？」という文字列とケーキの絵文字とは関連がないため、ケーキの絵文字は候補として表示されない。尚、ここでケーキの絵文字は相手先にヒントとして表示したいがために入力している。
【課題を解決するための手段】
【０００７】
請求項１記載の電子機器は、文字の変換候補を一覧で表示する際に、当該一覧表示を行う日に対応する絵文字を優先的に表示することを特徴とする。
請求項２記載の電子機器は、日付と絵文字を対応付けて格納する格納手段と、入力手段と、当該入力手段で入力された文字と文字の変換候補の一覧を表示する表示手段と、前記表示手段が、前記入力手段により入力された文字の変換候補の一覧を表示する際に、変換候補に絵文字を含んで表示する場合には、一覧を表示する日に対応する絵文字を前記格納手段から読み出して、前記表示手段に表示するよう制御する制御手段と、を有することを特徴とする。
請求項３記載の電子機器は、日付と文字及び／又は記号を対応付けて格納する格納手段と、入力手段と、当該入力手段で入力された文字と文字の変換候補の一覧を表示する表示手段と、前記表示手段が、前記入力手段により入力された文字の変換候補の一覧を表示する際に、一覧を表示する日に対応する文字及び／又は記号を前記格納手段から読み出して、前記表示手段に表示するよう制御する制御手段と、を有することを特徴とする。
請求項４記載の電子機器は、請求項３に記載の電子機器であり、前記格納手段から読み出した文字及び／又は記号は、他の変換候補よりも優先的に表示されることを特徴とする。
【発明の効果】
【０００８】
本発明によると、ユーザが欲する絵文字が優先的に表示される為、ユーザが容易にメール本文を作成することができる。
請求項１記載の電子機器は、文字の変換候補を一覧で表示する際に、当該一覧表示を行う日に対応する絵文字を優先的に表示する。このため、例えば誕生日やクリスマス等のイベントに対応する絵文字を優先的に表示する為、ユーザはその日に最も適した絵文字を優先的に選択することができる。
請求項２記載の電子機器は、入力手段により入力された文字の変換候補の一覧を表示する際に、変換候補に絵文字を含んで表示する場合には、一覧を表示する日に対応する絵文字を表示手段に表示する為、ユーザはその日に最も適した絵文字を容易に選択することができる。
請求項３記載の電子機器は、入力手段により入力された文字の変換候補の一覧を表示する際に、一覧を表示する日に対応する文字及び／又は記号を表示手段に表示する為、ユーザはその日に最も適した文字や記号を容易に選択することができる。
請求項４記載の電子機器は、格納手段から読み出した文字及び／又は記号を他の変換候補よりも優先的に表示する為、ユーザはその日に最も適し文字や記号を優先的に選択することができる。
【図面の簡単な説明】
【０００９】
【図１】本発明を適用してなる実施例装置の外観図である。
【図２】本実施例装置のブロック図である。
【図３】ＲＡＭ１６に格納されているデータを示す表である。
【図４】本実施例装置の表示形態を示す図である。
【図５】本実施例装置の動作を示すフロー図である。
【発明を実施するための形態】
【００１０】
次に、本発明の一実施形態に係る電子機器について、図面を参照して説明する。なお、本実施例では携帯電話装置について説明しているが、コードレス電話装置、ファクシミリ装置、等の電子機器でも同様に実施可能である。
【実施例】
【００１１】
本発明を適用してなる実施例装置について以下に説明する。尚、本実施例では携帯電話装置を一例にとり、その動作を説明する。
【００１２】
図１は、本実施例装置の斜視図である。図１において、携帯電話装置１は、ディスプレイ６０と、テンキー５１と、マイク１１とを有している。
【００１３】
図２は、本実施例装置のブロック図を示している。図２に示すように、携帯電話装置１は、アンテナ２と接続された通信部３を備えている。この通信部３は、後述のベースバンド部４からの信号をアンテナ２を介して基地局へ発信し、あるいはアンテナ２を介して基地局からの電波を受信する。
【００１４】
また、通信部３は、ベースバンド部４と接続されている。ベースバンド部４は、ＣＤＭＡ処理回路５と、音声コーデック６と、を有している。ここで、ＣＤＭＡ処理回路５は、符号分割多元接続、スクランブル、誤り制御、タイミング検出を行う。また、音声コーデック６は、音声を圧縮（符号化）、伸張（復号化）したり、アナログとデジタルの変換を行ったり、内部の増幅回路（図示省略）により受話音量やマイクロホンの感度を変更する。尚、この通信部３やＣＤＭＡ処理回路５は電子メールの送受信機能も備えている。
【００１５】
また、ベースバンド部４には、切替回路７が接続されている。この切替回路７には、増幅回路８を介して第１スピーカ９が接続されている。この第１スピーカ９は、増幅回路８で増幅されたベースバンド部４の電気信号を音声に変換する。この第１スピーカ９は、ユーザの耳にあてて通話に使用される。
【００１６】
また、切替回路７には、増幅回路１０を介してマイクロホン１１が接続されている。このマイクロホン１１は、通話に使用され、音声を電気信号に変換する。マイクロホン１１により出力された電気信号は、増幅回路１０で増幅されてベースバンド部４に出力される。
【００１７】
また、切替回路７には、増幅回路１２を介して第２スピーカ１３が接続されている。この第２スピーカ１３は、増幅回路１２で増幅されたベースバンド部４の電気信号を音声に変換する。この第２スピーカ１３は、受話音を周囲の人にも聞かせるための拡声用のスピーカである。また、第２スピーカ１３は、着信報知の鳴動や警告音の鳴動も行う。
切替回路７は、ベースバンド部４との接続を、第１スピーカ９用の増幅回路８とマイクロホン１１用の増幅回路１０側にするか、あるいは第２スピーカ１３用の増幅回路１２とマイクロホン１１用の増幅回路１０側にするかを切り替える。
【００１８】
また、通信部３、ベースバンド部４、切替回路７には、制御回路（制御部）１４がそれぞれ接続されている。この制御回路１００の制御により上述した切替回路７による切り替えが行われる。また、制御回路１００によりベースバンド部４の音声コーデック６が制御され、音声コーデック６により第１スピーカ９及び第２スピーカ１３の音量やマイクロホン１１の感度が変更される。制御回路１００は、ＲＯＭ１５と接続されており、ＲＯＭ１５に格納されているシステムプログラムに基づき各部を制御する。
ＲＡＭ１６には、電話番号と氏名とメールアドレス等が対応付けて複数格納された電話帳のデータ、メール本文のデータ、画像データ、音楽データ等の他に、文字や記号等の辞書データ等が格納されている。又、ＲＡＭ１６には、図３に示すように、イベントに対応する絵文字が格納されており、例えば私の誕生日である４月１日には、１の項目にケーキ、２の項目にプレゼント、３の項目にクラッカーの絵文字が格納されている。又、恋人の誕生日である７月７日には、同様に１の項目にケーキ、２の項目にプレゼント、３の項目にクラッカーの絵文字が格納されている。又、クリスマスイブである１２月２４日には、１の項目にサンタさん、２の項目にケーキ、３の項目にツリー、の絵文字が格納されている。更に、お正月である１月１日には、１の項目にコマ、２の項目にお餅、３の項目に凧が格納されている。尚、イベントに対応して格納するのは絵文字だけでなく、顔文字、記号、特定の文言（例えば、誕生日おめでとう）を格納しても良い。
【００１９】
制御回路１００には、入力部５０が接続されている。この入力部５０は、電話番号等の入力を行うテンキー５１と、通話の開始を操作する通話キー５２と、通話の終了を操作する切キー５３と、各種機能の設定を行う機能キー５４と、電源キー５５と、を有している。また、制御回路１００には、ディスプレイ６０のバックライトである照明部６１が接続されている。
【００２０】
次に本実施例装置の動作について説明する。図４は本実施例装置の表示形態を示しており、図４と図３を用いて本実施例装置の動作の概要をまず説明する。ユーザがメールを作成する際に、例えばメール作成日がユーザの誕生日である４月１日である場合には、図４に示すように、メール作成時に、ユーザの誕生日に対応する絵文字（例えば、ケーキやプレゼントの絵文字等）を優先的に表示する。ここでいう優先的にというのは、他の絵文字に比べて優先的に表示することを意味している。同様に、例えばユーザが１２月２４日にメールを作成する場合には、サンタさんやケーキやツリー等の絵文字が優先的に表示される。尚、ここでは図示していないが、図３に示す絵文字以外の絵文字をケーキやツリー等の絵文字の後に一覧で表示しても良い。
【００２１】
このように本実施例装置では、メール作成した日に対応する絵文字を優先的に表示することにより、ユーザがメール作成を容易に行うことができるという顕著な効果を奏するものであり。
【００２２】
次に、図５のフロー図を用いて本実施例装置の動作について説明する。まず、制御部１００は、入力部５０からメール本文の作成指示があると判定すると、Ｓ０２ステップへ処理を進める。Ｓ０２ステップでは、入力部５０から変換候補の一覧表示指示がある（例えば、テンキー５１２からの文字入力）と判定すると、Ｓ０３ステップにおいて、ＲＡＭ１６に格納されている、ひらがな、カタカナ、漢字等のデータの他に、図３に示す今日の日付に対応する絵文字を読込み、ディスプレイ６０に一覧表示する。その一例として、例えばディスプレイ６０は図４に示すような画面を表示する。
【００２３】
Ｓ０４ステップでは、制御部１００は、入力部５０からの絵文字の選択処理操作に従い、絵文字を選択し、Ｓ０５ステップにおいて、選択された絵文字が決定される。
【００２４】
一方、Ｓ０６ステップでは、制御部１００は、入力部５０からの指示操作に応じた処理を実行し、Ｓ０７ステップにおいて、制御部１００は、入力部５０から終了操作があると判定すると、メール作成処理を終了し、一方、終了操作がなければＳ０２ステップへ処理を戻す。
【符号の説明】
【００２５】
１６      ＲＡＭ
５０      入力部
５１      テンキー
６０      ディスプレイ
１００    制御回路
【図１】
2010257063.tif 000003
【図２】
2010257063.tif 000004
【図３】
2010257063.tif 000005
【図４】
2010257063.tif 000006
【図５】
2010257063.tif 000007